(57)【要約】【課題】簡単な構造で、加熱対象となる商品収容庫の内部空気の加熱効率の向上を図ることができる自動販売機を提供すること。【解決手段】本体キャビネット１内に配設された商品収容庫４の内部空気を冷却または加熱して、商品収容庫４に収容された商品を冷却または加熱するようにした自動販売機において、加熱対象となる左庫４ａの内部空気を該左庫４ａの内部と外部との間で循環させる循環手段と、左庫４ａの外部に配設され、かつ圧縮機５１で圧縮された冷媒を放熱させることにより循環手段により通過する内部空気を加熱する加熱熱交換器５２とを備え、循環手段は、循環させる内部空気に圧縮機５１の周囲を通過させて該圧縮機５１から放出される熱を吸収させるものである。【選択図】      図６
2008262489.tif 000002
【特許請求の範囲】
【請求項１】
自動販売機本体内に配設された商品収容庫の内部空気を冷却または加熱して、商品収容庫に収容された商品を冷却または加熱するようにした自動販売機において、
加熱対象となる商品収容庫の内部空気を該商品収容庫の内部と外部との間で循環させる循環手段と、
前記商品収容庫の外部に配設され、かつ圧縮機で圧縮された冷媒を放熱させることにより前記循環手段により通過する内部空気を加熱する加熱熱交換器と
を備え、
前記循環手段は、循環させる内部空気に前記圧縮機の周囲を通過させて該圧縮機から放出される熱を吸収させることを特徴とする自動販売機。
【請求項２】
前記循環手段は、前記内部空気を前記圧縮機の周囲を通過させてから前記加熱熱交換器を通過させることを特徴とする請求項１に記載の自動販売機。
【請求項３】
前記循環手段は、前記内部空気を分岐させて、一方は前記圧縮機の周囲を通過させ、かつ他方は前記加熱熱交換器を通過させ、前記圧縮機の周囲を通過させた内部空気と、前記加熱熱交換器を通過させた内部空気とを合流させて前記商品収容庫の内部に供給することを特徴とする請求項１に記載の自動販売機。
【請求項４】
前記循環手段は、前記内部空気を分岐させて、一方は前記圧縮機の周囲を通過させ、かつ他方は前記加熱熱交換器を通過させ、前記圧縮機の周囲を通過させた内部空気を前記加熱熱交換器に通過させることにより、前記加熱熱交換器を通過させる内部空気と合流させて前記商品収容庫の内部に供給することを特徴とする請求項１に記載の自動販売機。
【請求項５】
前記圧縮機は、前記加熱熱交換器を収容する加熱室に連通する態様で設けられた圧縮機室に収容してあり、
前記循環手段は、前記圧縮機室を通過した内部空気が前記加熱室を通過する態様で前記内部空気を循環させることを特徴とする請求項１または請求項２に記載の自動販売機。
【請求項６】
前記圧縮機は、前記加熱熱交換器を収容する加熱室に連通する態様で設けられた圧縮機室に収容してあり、
前記循環手段は、前記内部空気を分岐させて、一方は前記圧縮機室を通過させ、かつ他方は前記加熱室を通過させ、前記圧縮機室および前記加熱室を通過したそれぞれの内部空気を合流させて前記商品収容庫の内部に供給することを特徴とする請求項１または請求項３に記載の自動販売機。
【請求項７】
前記圧縮機は、一部が、前記加熱熱交換器から供給された冷媒を放熱させることにより周囲を通過する空気を加熱するガスクーラとともに外気の通過域に露出する態様で前記圧縮機室に収容してあることを特徴とする請求項５または請求項６に記載の自動販売機。
【請求項８】
前記圧縮機は、弾力性を有するクッション材を介して前記圧縮機室を画成する筐体に接触する態様で収容してあることを特徴とする請求項７に記載の自動販売機。
【発明の詳細な説明】
【技術分野】
【０００１】
本発明は、自動販売機本体内に配設された商品収容庫の内部空気を冷却または加熱して、商品収容庫に収容された商品を冷却または加熱するようにした自動販売機の改良に関する。
【背景技術】
【０００２】
従来、内部を商品収容室と機械室とに画成し、更に商品収容室を３つの商品収容庫に画成した自動販売機が知られている。この自動販売機は、各商品収容庫にそれぞれ熱交換器（以下、庫内熱交換器とも称する）が配設されている一方、庫内熱交換器とともに冷凍サイクルを構成する圧縮機および熱交換器（以下、庫外熱交換器とも称する）が機械室に収容されている。そして、１つの商品収容庫を収容する商品を冷却のみするだけの冷却庫とし、他の２つの商品収容庫を収容する商品を冷却または加熱するための冷却加温庫としている。
【０００３】
このように１つの商品収容庫を冷却庫とし、他の２つの商品収容庫を冷却加温庫とした自動販売機においては、全ての商品収容庫を冷却庫として利用することもできるし、一の商品収容庫を冷却庫とし他の商品収容庫を加温庫とすることもできる。更に一の商品収容庫を加温庫とし他の商品収容庫を冷却庫とすることもできる。
【０００４】
このような自動販売機において、全ての商品収容庫を冷却庫とする場合には、全ての庫内熱交換器が蒸発器として機能する。つまり、全ての庫内熱交換器は、供給された冷媒を蒸発させることにより設置された商品収容庫の内部空気を冷却する。また、一の商品収容庫を冷却庫とし、他の商品収容庫を加温庫とする場合には、一の商品収容庫の庫内熱交換器は蒸発器として機能し、他の商品収容庫の庫内熱交換器は放熱器として機能する。つまり、他の商品収容庫の庫内熱交換器は、供給された冷媒を放熱させることにより設置された商品収容庫の内部空気を加熱する。
【０００５】
このように上記自動販売機では、庫内熱交換器が蒸発器として機能したり、放熱器として機能したりして対応する商品収容庫の内部空気を冷却したり、加熱したりしている（例えば、特許文献１および特許文献２参照）。
【０００６】
【特許文献１】特開２００２−２９８２１０号公報
【特許文献２】特開２００１−１０９９４４号公報
【発明の開示】
【発明が解決しようとする課題】
【０００７】
ところが、上述したような自動販売機では、庫内熱交換器を蒸発器として、あるいは放熱器として運転しているために、冷凍サイクルの回路を切り替えるための配管や電磁弁等が必要になり、配管構成等が複雑なものになる。しかも機械室に配設された圧縮機から放出される熱（駆動熱）は、単に外部に捨てているだけで何等利用されておらず、エネルギーの無駄が大きい。
【０００８】
本発明は、上記実情に鑑みて、簡単な構造で、加熱対象となる商品収容庫の内部空気の加熱効率の向上を図ることができる自動販売機を提供することを目的とする。
【課題を解決するための手段】
【０００９】
上記目的を達成するために、本発明の請求項１に係る自動販売機は、自動販売機本体内に配設された商品収容庫の内部空気を冷却または加熱して、商品収容庫に収容された商品を冷却または加熱するようにした自動販売機において、加熱対象となる商品収容庫の内部空気を該商品収容庫の内部と外部との間で循環させる循環手段と、前記商品収容庫の外部に配設され、かつ圧縮機で圧縮された冷媒を放熱させることにより前記循環手段により通過する内部空気を加熱する加熱熱交換器とを備え、前記循環手段は、循環させる内部空気に前記圧縮機の周囲を通過させて該圧縮機から放出される熱を吸収させることを特徴とする。
【００１０】
また、本発明の請求項２に係る自動販売機は、上述した請求項１において、前記循環手段は、前記内部空気を前記圧縮機の周囲を通過させてから前記加熱熱交換器を通過させることを特徴とする。
【００１１】
また、本発明の請求項３に係る自動販売機は、上述した請求項１において、前記循環手段は、前記内部空気を分岐させて、一方は前記圧縮機の周囲を通過させ、かつ他方は前記加熱熱交換器を通過させ、前記圧縮機の周囲を通過させた内部空気と、前記加熱熱交換器を通過させた内部空気とを合流させて前記商品収容庫の内部に供給することを特徴とする。
【００１２】
また、本発明の請求項４に係る自動販売機は、上述した請求項１において、前記循環手段は、前記内部空気を分岐させて、一方は前記圧縮機の周囲を通過させ、かつ他方は前記加熱熱交換器を通過させ、前記圧縮機の周囲を通過させた内部空気を前記加熱熱交換器に通過させることにより、前記加熱熱交換器を通過させる内部空気と合流させて前記商品収容庫の内部に供給することを特徴とする。
【００１３】
また、本発明の請求項５に係る自動販売機は、上述した請求項１または請求項２において、前記圧縮機は、前記加熱熱交換器を収容する加熱室に連通する態様で設けられた圧縮機室に収容してあり、前記循環手段は、前記圧縮機室を通過した内部空気が前記加熱室を通過する態様で前記内部空気を循環させることを特徴とする。
【００１４】
また、本発明の請求項６に係る自動販売機は、上述した請求項１または請求項３において、前記圧縮機は、前記加熱熱交換器を収容する加熱室に連通する態様で設けられた圧縮機室に収容してあり、前記循環手段は、前記内部空気を分岐させて、一方は前記圧縮機室を通過させ、かつ他方は前記加熱室を通過させ、前記圧縮機室および前記加熱室を通過したそれぞれの内部空気を合流させて前記商品収容庫の内部に供給することを特徴とする。
【００１５】
また、本発明の請求項７に係る自動販売機は、上述した請求項５または請求項６において、前記圧縮機は、一部が、前記加熱熱交換器から供給された冷媒を放熱させることにより周囲を通過する空気を加熱するガスクーラとともに外気の通過域に露出する態様で前記圧縮機室に収容してあることを特徴とする。
【００１６】
また、本発明の請求項８に係る自動販売機は、上述した請求項７において、前記圧縮機は、弾力性を有するクッション材を介して前記圧縮機室を画成する筐体に接触する態様で収容してあることを特徴とする。
【発明の効果】
【００１７】
本発明の自動販売機によれば、加熱対象となる商品収容庫の内部空気を該商品収容庫の内部と外部との間で循環させる循環手段と、商品収容庫の外部に配設され、かつ圧縮機で圧縮された冷媒を放熱させることにより循環手段により通過する内部空気を加熱する加熱熱交換器とを備え、循環手段が、循環させる内部空気に圧縮機の周囲を通過させて該圧縮機から放出される熱を吸収させるので、かかる熱を有効に利用することができる。しかも従来のように配管構造を複雑にする必要がない。従って、簡単な構造で、加熱対象となる商品収容庫の内部空気の加熱効率の向上を図ることができるという効果を奏する。
【発明を実施するための最良の形態】
【００１８】
以下に添付図面を参照して、本発明に係る自動販売機の好適な実施の形態について詳細に説明する。
【００１９】
図１〜図３は、それぞれ本発明の実施の形態における自動販売機を模式的に示したものであり、図１は、外扉と内扉とを開放した状態を示す正面図、図２は、図１のII−II断面図、図３は、図１のIII−III断面図である。ここに例示する自動販売機は、缶入り飲料、瓶入り飲料、ペットボトル入り飲料等を販売するためのもので、本体キャビネット１を備えている。
【００２０】
本体キャビネット１は、前面が開口した直方状の断熱筐体として形成した自動販売機本体である。この本体キャビネット１には、その前面に外扉２と内扉（図示せず）とが設けてあり、その内部に例えば２つの断熱仕切板３によって仕切られた３つの独立した商品収容庫４ａ，４ｂ，４ｃ（以下、必要に応じて商品収容庫４と総称する）が左右に並んだ態様で設けてある。より詳細に説明すると、外扉２は、本体キャビネット１の前面開口を開閉するためのものであり、内扉は、商品収容庫４ａ，４ｂ，４ｃの前面を開閉するためのものである。商品収容庫４ａ，４ｂ，４ｃは、缶入り飲料やペットボトル入り飲料等の商品を所望の温度状態に維持した状態で収容するためのものである。
【００２１】
上記商品収容庫４ａ，４ｂ，４ｃには、それぞれ商品収納ラック５、搬出機構（図示せず）および商品搬出シュータ７が設けてある。商品収納ラック５は、商品を上下方向に沿って並ぶ態様で収納するためのものである。搬出機構は、商品収納ラック５の下部に設けてあり、この商品収納ラック５に収納された商品群のうち最下部にある商品を一つずつ搬出するためのものである。商品搬出シュータ７は、搬出機構から搬出された商品を外扉２に設けた商品取出口（図示せず）に導くためのものである。商品搬出シュータ７によって仕切られた下方部は、それぞれ断熱仕切壁８によって前後２つの室に仕切られており、前方側には吐出室９、後方側には吸込室１０となっている。また、商品収容庫４ａ，４ｂ，４ｃの背面側には、背面ダクト１１が設けてある。背面ダクト１１の上部には吸込口１１ａが形成してある一方、下部には吸込室１０に連通する吐出口１１ｂが形成してある。
【００２２】
上記商品収容庫４ａ，４ｂ，４ｃの底面となる断熱底壁１２には、冷気吸込口１３および冷気吐出口１４が形成してある。冷気吸込口１３は、吸込室１０に対応する個所に設けた開口であり、冷気吐出口１４は、吐出室９に対応する個所に設けた開口である。
【００２３】
また、上記商品収容庫４ａ，４ｂ，４ｃのうち、最も左側に位置する商品収容庫（以下、左庫ともいう）４ａおよび中央側に位置する商品収容庫（以下、中庫ともいう）４ｂの断熱底壁１２に形成した冷気吸込口１３および冷気吐出口１４には、それぞれを開閉させるための冷気吸込シャッタ１５および冷気吐出シャッタ１６が設けてある。つまり、左庫４ａおよび中庫４ｂにおける冷気吸込口１３は、吸込室１０に対応する個所に設けた開口であり、冷気吸込シャッタ１５により開閉自在となっており、冷気吐出口１４は、吐出室９に対応する個所に設けた開口であり、冷気吐出シャッタ１６により開閉自在となっている。
【００２４】
また、左庫４ａおよび中庫４ｂの断熱底壁１２には、上述した冷気吸込口１３および冷気吐出口１４の他に、暖気吸込口１７および暖気吐出口１８が形成してある。暖気吸込口１７は、吸込室１０に対応する個所であって、冷気吸込口１３よりも後方側に設けた開口であり、暖気吸込シャッタ１９により開閉自在となっている。暖気吐出口１８は、吐出室９に対応する個所であって、冷気吐出口１４よりも前方側に設けた開口であり、暖気吐出シャッタ２０により開閉自在となっている。尚、図には明示していないが、最も右側に位置する商品収容庫（以下、右庫ともいう）４ｃは、冷却専用の収容庫であり、そのため断熱底壁１２には冷気吸込口１３および冷気吐出口１４だけが形成してある。本明細書において、「右側」とは、自動販売機を正面から見た場合の右方側を意味し、「左側」とは、自動販売機を正面から見た場合の左方側を意味するものとする。
【００２５】
図２および図３に示すように、商品搬出シュータ７の下面であって、吐出室９に対応する個所には庫内ファン２１が取り付けてある。庫内ファン２１は、詳細は後述するが、冷気吐出口１４、あるいは暖気吐出口１８から空気を吐出させ、商品収納ラック５に収納された商品に空気（冷気あるいは暖気）を供給するためのものである。各商品収容庫４ａ，４ｂ，４ｃに取り付けた庫内ファン２１は、商品収容庫４ａ，４ｂ，４ｃの庫内に配設した温度センサ（図示せず）に基づいて、オン・オフ制御することによって商品収容庫４ａ，４ｂ，４ｃの温度制御を行うものである。
【００２６】
上述した商品収容庫４ａ，４ｂ，４ｃと断熱底壁１２で区画され、かつ該商品収容庫４ａ，４ｂ，４ｃの下方に位置する機械室２２には、ダクト集合体３０および冷却加熱装置４０が配設してある。
【００２７】
ダクト集合体３０は、機械室２２の上部、すなわち断熱底壁１２の下面に断熱材により構成したものであり、図４に示すように、商品収容庫４ａ，４ｂ，４ｃの並設方向、すなわち自動販売機の左右方向に延在する４つのダクトが前後方向に並ぶ態様で設けてある。このダクト集合体３０を形成する４つのダクトは、後方から前方に向けて、暖気吸込ダクト（導入ダクト）３１、冷気吸込ダクト３２、冷気吐出ダクト３３および暖気吐出ダクト（導出ダクト）３４となっている。
【００２８】
暖気吸込ダクト３１は、一方が左庫４ａおよび中庫４ｂの暖気吸込口１７に開口し、他方が後述する圧縮機室４３に開口するものである。つまり、暖気吸込ダクト３１は、左庫４ａおよび中庫４ｂの内部と、圧縮機室４３とを連通させるものである。
【００２９】
冷気吸込ダクト３２は、一方が商品収容庫４ａ，４ｂ，４ｃの冷気吸込口１３に開口し、他方が後述する蒸発器収容体の流入口４７ａに開口するものである。つまり、冷気吸込ダクト３２は、商品収容庫４ａ，４ｂ，４ｃのそれぞれの内部と、蒸発器収容体の内部とを連通させるものである。冷気吸込ダクト３２は、暖気吸込ダクト３１よりも長尺状のものであり、その途中から前後幅が漸次拡大するとともに、底面が漸次低くなる態様で傾斜している。
【００３０】
冷気吐出ダクト３３は、一方が商品収容庫４ａ，４ｂ，４ｃの冷気吐出口１４に開口し、他方が後述する蒸発器収容体の流出口４７ｂに開口するものである。つまり、冷気吐出ダクト３３は、商品収容庫４ａ，４ｂ，４ｃのそれぞれの内部と、蒸発器収容体の内部とを連通させるものである。
【００３１】
暖気吐出ダクト３４は、一方が左庫４ａおよび中庫４ｂの暖気吐出口１８に開口し、他方が後述する加熱室４４に開口するものである。つまり、暖気吐出ダクト３４は、左庫４ａおよび中庫４ｂの内部と、加熱室４４とを連通させるものである。
【００３２】
このようなダクト集合体３０において、暖気吐出ダクト３４の右方側、すなわち前方右方側には、切欠部３０ａが形成することによりスペースが設けてある。
【００３３】
冷却加熱装置４０は、機械室２２に対して着脱自在に設けてあり、図５に示すように、加熱部４１と冷却部４２とを有している。加熱部４１は、冷却加熱装置４０の左側に位置し、圧縮機室４３と加熱室４４とを有している。圧縮機室４３は、加熱室４４の右方側後方に連通する態様で、該加熱室４４の右方側に断熱材によって画成された室である。この圧縮機室４３の上方は、加熱室４４の開口に連通する態様で開口しており、上記暖気吸込ダクト３１に通じている。圧縮機室４３の内部には、図６にも示すように圧縮機５１が収容してある。より詳細には、圧縮機室４３の右方側面には貫通孔（図示せず）が形成してあり、該貫通孔を挿通する態様で圧縮機５１が収容してある。従って、圧縮機５１の一部が圧縮機室４３の外部に露出する態様で収容してある。ここで、圧縮機５１は、クッション材４３ａに巻回される態様で上記貫通孔を挿通している。つまり、圧縮機５１は、クッション材４３ａを介して圧縮機室４３を画成する断熱材に接触している。クッション材４３ａは、弾力性を有するものである。圧縮機５１は、後述する冷却加熱ユニット５０を構成するものであり、その詳細については後述する。
【００３４】
加熱室４４は、断熱材によって画成された直方状の室であり、上方が開口しており、上記暖気吐出ダクト３４に連通している。この加熱室４４の内部には、加熱熱交換器５２およびヒータ４６が設けてある（図２参照）。つまり、加熱室４４は、加熱器収容体である。
【００３５】
加熱熱交換器５２は、後述する冷却加熱ユニット５０を構成するものであり、詳細については後述する。ヒータ４６は、加熱熱交換器５２の前方側に設けてある。このヒータ４６は、駆動することにより周囲空気を加熱するものである。
【００３６】
冷却部４２は、冷却加熱装置４０の右側に位置し、蒸発器収容体４７を有している。蒸発器収容体４７は、冷却加熱装置４０の右方側に位置し、前後方向が長手方向となる直方状の形態をなす断熱筐体であり、内部に蒸発器５５が収容してある。この蒸発器収容体４７の左方側面には、内部に空気を流入させるための開口である流入口４７ａと、外部に空気を流出させるための開口である流出口４７ｂとが前後方向に沿って並ぶ態様で形成してある（図８〜図１０参照）。流入口４７ａは、上記冷気吸込ダクト３２に連通してあり、流出口４７ｂは、上記冷気吐出ダクト３３に連通している。
【００３７】
また、蒸発器収容体４７の下方には、水受皿４８が設けてある。水受皿４８は、周囲から中央に向けて漸次低くなる態様の形態をなし、最も低くなる部分にはドレーン４８ａが設けてある。この水受皿４８に溜まったドレーン水は、ドレーン４８ａを介して更に下方に配設された蒸発皿４９に滴下するようになっている。蒸発皿４９は、滴下したドレーン水を溜めるとともにドレーン水の蒸発を促進させるためのものである。
【００３８】
蒸発器５５は、その構成については後述するが、上記圧縮機５１や加熱熱交換器５２とともに冷却加熱ユニット５０を構成している。図７は、冷却加熱ユニットを概念的に示した概念図であり、かかる図７を参照しながら、冷却加熱ユニット５０について説明する。
【００３９】
冷却加熱ユニット５０は、圧縮機５１と、加熱熱交換器５２と、ガスクーラ５３と、膨張弁５４と、蒸発器５５とを配管で順次接続することにより構成してある。この冷却加熱ユニット５０において、冷媒としては、不燃性、安全性、不腐食性を有し、更にオゾン層への影響が少ない二酸化炭素を用いている。
【００４０】
圧縮機５１は、上記圧縮機室４３に一部が外部に露出する態様で収容してある。この圧縮機５１は、蒸発器５５からの冷媒（二酸化炭素）を圧縮して高温高圧の状態にするものである。本実施の形態における圧縮機５１は、２回に分けて圧縮動作を行う二段式圧縮機５１である。より詳細に説明すると、圧縮機５１は、１回目の圧縮動作を行う第１圧縮機５１ａと、２回目の圧縮動作を行う第２圧縮機５１ｂとを有し、これらの間に中間熱交換器５１ｃが設けてある。中間熱交換器５１ｃは、第１圧縮機５１ａによる１回目の圧縮動作により圧縮された冷媒を放熱させて該冷媒を第２圧縮機５１ｂに戻すものである。この中間熱交換器５１ｃは、図には明示しないが、圧縮機室４３の前方側に配設してある。
【００４１】
加熱熱交換器５２は、上記加熱室４４に配設してある。この加熱熱交換器５２は、圧縮機５１で高温高圧の状態に圧縮された冷媒を放熱させるものである。冷媒が放熱することにより、加熱熱交換器５２の周囲を通過する空気は熱が与えられることになり加熱される。
【００４２】
ガスクーラ５３は、加熱熱交換器５２から供給された冷媒を更に放熱させるものである。冷媒が放熱することによりガスクーラ５３の周囲を通過する空気は熱が与えられることになり加熱される。 このガスクーラ５３は、冷却加熱装置４０において、前方側中央、すなわち加熱室４４と蒸発器収容体４７との間の領域において中間熱交換器５１ｃよりも前方側であって、ダクト集合体３０の切欠部３０ａにより設けられたスペースに進入する態様で配設してある。つまり、蒸発器収容体４７と加熱室４４との間における冷気吐出ダクト３３の前方側、すなわち暖気吐出ダクト３４の右方側のスペースには、加熱熱交換器５２から供給された冷媒を放熱させることにより周囲を通過する空気を加熱するガスクーラ５３を配設してある。
【００４３】
上記ガスクーラ５３の後方にはガスクーラファン５３ａが設けてある。ガスクーラファン５３ａは、前方側から後方側に空気（外気）を送出するためのものである。つまり、ガスクーラファン５３ａにより送出される空気は、ガスクーラ５３の周囲を通過した後、中間熱交換器５１ｃの周囲を通過し、その後圧縮機室４３の右方側を通過することになる。これにより、圧縮機５１は、一部が露出する態様で、すなわち一部がガスクーラ５３とともに外気の通過域に露出する態様で圧縮機室４３に収容してある。
【００４４】
膨張弁５４は、蒸発器収容体４７とともに冷却部４２に配設してあり、供給された冷媒を断熱膨張させる、すなわち該冷媒を減圧して低温低圧の状態に調整するものである。
【００４５】
蒸発器５５は、蒸発器収容体４７の内部に収容してある。この蒸発器５５は、膨張弁５４で低温低圧の状態に断熱膨張させた冷媒を蒸発させるものである。この冷媒が蒸発することにより、蒸発器５５の周囲を通過する空気は熱が奪われることになり冷却される。また、蒸発器５５は、通過した冷媒を上記圧縮機５１に供給するものである。
【００４６】
この蒸発器５５は、冷媒の流路を構成する蛇行状のチューブ５５ａが板状の複数のフィン部材５５ｂを貫通して構成してある。この複数のフィン部材５５ｂは、それぞれ蒸発器収容体４７の左方側面に直交する方向、すなわち左右方向に沿って延在するとともに、該蒸発器収容体４７の右方側面の近傍に間隙Ｓを形成してある。従って、フィン部材５５ｂ間および間隙Ｓは、空気の通路となる。また、フィン部材５５ｂの表面には、図１０および図１１に示すように、通過する空気に対向する態様で空気の通路に突出する切起部５５ｃを設けている。
【００４７】
このような蒸発器５５における空気の通路断面積、すなわちフィン部材５５ｂ間および間隙Ｓにおける空気の通路断面積は、流入口４７ａの開口面積よりも小さくなっており、流出口４７ｂの開口面積よりと同等、あるいはそれ以上の大きさを有している。つまり、換言すると、流出口４７ｂの開口面積は、流入口４７ａの開口面積よりも小さくなっている。
【００４８】
上記冷却加熱ユニット５０では、上記構成の他に、内部熱交換器５６および電磁弁５７が設けてある。内部熱交換器５６は、ガスクーラ５３からの冷媒（高圧冷媒）と、蒸発器５５からの冷媒（低圧冷媒）とを熱交換させるものである。より詳細に説明すると、内部熱交換器５６の内部にはガスクーラ５３で放熱された冷媒が通過するための高圧冷媒管路５６ａと、蒸発器５５で蒸発した冷媒が通過するための低圧冷媒管路５６ｂとが、互いに熱交換可能な距離を有して非接触向流する態様で配設してある。この内部熱交換器５６は、冷却部４２において蒸発器収容体４７の前方に配設してある。電磁弁５７は、蒸発器５５とともに蒸発器収容体４７の内部に配設してあり、開閉動作することにより蒸発器５５への冷媒の供給を許容および規制するものである。
【００４９】
このような冷却加熱ユニット５０では、冷媒が循環することにより、加熱熱交換器５２は周囲を通過する空気を加熱する加熱手段として、蒸発器５５は周囲を通過する空気を冷却する冷却手段として作用する。
【００５０】
以上のような構成を有する自動販売機では、次のようにして商品収容庫４ａ，４ｂ，４ｃの内部空気を冷却することができる。ここでは、全ての商品収容庫４ａ，４ｂ，４ｃの内部空気を冷却する場合について説明する。このように全ての商品収容庫４ａ，４ｂ，４ｃの内部空気を冷却する場合には、前提として、暖気吸込口１７は暖気吸込シャッタ１９により閉成され、暖気吐出口１８は暖気吐出シャッタ２０により閉成されているものとし、冷気吸込口１３および冷気吐出口１４はともに開成されているものとする。これにより、加熱部４１を構成する圧縮機室４３および加熱室４４は、それぞれ左庫４ａおよび中庫４ｂと遮断される一方、蒸発器収容体４７は商品収容庫４ａ，４ｂ，４ｃと連通している。
【００５１】
このような状態でガスクーラファン５３ａおよび庫内ファン２１を駆動させる。ガスクーラファン５３ａを駆動させることにより、自動販売機の前方より外気がガスクーラ５３の周囲を通過し、その後加熱室４４と蒸発器収容体４７との間を通過することになる。つまり、ガスクーラ５３の周囲を通過した外気は、中間熱交換器５１ｃの周囲を通過し、その後圧縮機室４３の周囲を通過して自動販売機の後方側に放出されることになる。
【００５２】
つまり、ガスクーラファン５３ａの駆動により冷却加熱装置４０における加熱室４４と蒸発器収容体４７との間には、前方から後方に向かって外気が通過することになる。このように通過する外気に対して、ガスクーラ５３および中間熱交換器５１ｃでは、供給された冷媒を放熱させて熱を放出することができる。また、一部がガスクーラ５３とともに外気の通過域に露出する態様で圧縮機室４３に収容してある圧縮機５１では、駆動により生ずる熱を上記外気に対して放出することができる。
【００５３】
一方、庫内ファン２１を駆動させることにより、商品収容庫４ａ，４ｂ，４ｃの内部空気は、吸込口１１ａから背面ダクト１１に至り、該背面ダクト１１を通過した内部空気は、吐出口１１ｂを通じて吸込室１０に至る。吸込室１０に至った内部空気は、図１２に示すように、開成している冷気吸込口１３から冷気吸込ダクト３２に進入し、該冷気吸込ダクト３２を通過した後に、左方側面に設けられた流入口４７ａから蒸発器収容体４７の内部に至る。ここで蒸発器収容体４７の内部に収容された蒸発器５５は、複数のフィン部材５５ｂが蒸発器収容体４７の左方側面（流入口４７ａ）に直交する方向に沿って延在するとともに、蒸発器収容体４７の右方側面の近傍に間隙Ｓを形成してあるので、流入口４７ａから蒸発器収容体４７の内部に進入した空気は、図８に示すようにフィン部材５５ｂ間を通過し、その後蒸発器収容体４７の右方側面に当接して上記間隙Ｓを前方に向けて進み、すなわち右方側面に沿って前方に向けて進み、その後再びフィン部材５５ｂ間を通過して流出口４７ｂに至る。流出口４７ｂに至った内部空気は、冷気吐出ダクト３３に進入し、該冷気吐出ダクト３３を通過した後に冷気吐出口１４を通じて吐出室９に至り、その後商品収容庫４ａ，４ｂ，４ｃの内部を通過する。つまり、庫内ファン２１は、商品収容庫４ａ，４ｂ，４ｃの内部空気を冷気吸込ダクト３２を通じて蒸発器収容体４７の内部に吸い込み、冷気吐出ダクト３３を通じて該蒸発器収容体４７の内部に吸い込んだ内部空気を商品収容庫４ａ，４ｂ，４ｃに供給することにより、内部空気を商品収容庫４ａ，４ｂ，４ｃの内部と外部との間で循環させる循環手段を構成している。
【００５４】
次に、左庫４ａの内部空気のみを加熱する場合について説明する。このように左庫４ａの内部空気を加熱する場合には、前提として、図１３に示すように、左庫４ａの暖気吸込口１７は暖気吸込シャッタ１９により開成され、暖気吐出口１８は暖気吐出シャッタ２０により開成されているものとし、冷気吸込口１３および冷気吐出口１４はともに冷気吸込シャッタ１５および冷気吐出シャッタ１６により閉成されているものとする。また、中庫４ｂの暖気吸込口１７は暖気吸込シャッタ１９により閉成され、暖気吐出口１８は暖気吐出シャッタ２０により閉成されているものとし、冷気吸込口１３および冷気吐出口１４はともに開成されているものとする（図１３参照）。
【００５５】
これにより、加熱部４１を構成する圧縮機室４３および加熱室４４は、左庫４ａとは連通している一方、中庫４ｂとは遮断され、蒸発器収容体４７は中庫４ｂおよび右庫４ｃと連通している。
【００５６】
このような状態でガスクーラファン５３ａおよび庫内ファン２１を駆動させる。ここでガスクーラ５３を駆動させることによる作用と、中庫４ｂおよび右庫４ｃの庫内ファン２１を駆動させることによる作用は、全ての商品収容庫４ａ，４ｂ，４ｃの内部空気を冷却する場合と同じであるため説明を割愛する。
【００５７】
左庫４ａの庫内ファン２１を駆動させることにより、左庫４ａの内部空気は、吸込口１１ａから背面ダクト１１に至り、該背面ダクト１１を通過した内部空気は、吐出口１１ｂを通じて吸込室１０に至る。吸込室１０に至った内部空気は、図１３に示すように、開成している暖気吸込口１７から暖気吸込ダクト３１に進入し、該暖気吸込ダクト３１を通過した後に、圧縮機室４３に進入する。
【００５８】
圧縮機室４３に進入した内部空気は、圧縮機５１の周囲（圧縮機５１に接続する吐出側配管を含めた周囲）を通過する際に圧縮機５１から放出される熱（駆動熱）を吸収し、その後圧縮機室４３に連通する加熱室４４に進入する。加熱室４４に進入した内部空気は、加熱熱交換器５２を通過する際に、加熱熱交換器５２に供給された冷媒が放熱することにより加熱される。そして、加熱熱交換器５２を通過した空気は、連通する暖気吐出ダクト３４に進入し、該暖気吐出ダクト３４を通過した後に暖気吐出口１８を通じて吐出室９に至り、その後左庫４ａの内部を通過する。つまり、庫内ファン２１は、左庫４ａの内部空気を暖気吸込ダクト３１を通じて圧縮機室４３および加熱室４４に吸い込み、暖気吐出ダクト３４を通じて該圧縮機室４３および加熱室４４に吸い込んだ内部空気を左庫４ａに供給することにより、内部空気を左庫４ａの内部と外部との間で循環させる循環手段を構成している。
【００５９】
以上説明したような本発明の実施の形態における自動販売機によれば、蒸発器収容体４７は、左方側面に流入口４７ａと流出口４７ｂとが形成してある一方、その内部には該左方側面に直交する方向に延在するとともに、右方側面近傍に間隙Ｓを形成する複数のフィン部材５５ｂが設けてあるので、蒸発器収容体４７の大きさを蒸発器５５よりも僅かに大きいものとすれば良く、しかもフィン部材５５ｂの延在方向に内部空気を通過させることができるので圧力損失が過大なものになることはない。従って、簡単な構造で、しかも蒸発器５５を設置する構造の小型化を図ることができる。特に、流出口４７ｂの開口面積を流入口４７ａの開口面積よりも小さくしており、より詳細には、内部空気の通路断面積を流入口４７ａの開口面積よりも小さく、かつ流出口４７ｂの開口面積を上記通路断面積以下の大きさにしてあるため、通過する空気に対して抵抗を徐々に拡大させていくことにより、流入口４７ａより内部に進入した内部空気をフィン部材５５ｂ間に均一に通過させることができ、これにより有効熱交換面積を増大させて、熱交換効率の向上を図ることができる。しかも、フィン部材５５ｂの表面には、通過する内部空気に対向する態様で空気通路（空気通過域）に突出する切起部５５ｃを形成してあるので、通過する空気を整流化させることができる。
【００６０】
上記自動販売機によれば、加熱対象となる左庫４ａの内部空気を圧縮機５１から放出される熱（駆動熱）で加熱しているので、かかる駆動熱を有効に利用することができる。しかも従来のように配管構造を複雑にする必要がない。従って、簡単な構造で、加熱対象となる商品収容庫（左庫４ａ）の内部空気の加熱効率の向上を図ることができる。また、圧縮機５１は、一部がガスクーラ５３とともに外気の通過域に露出する態様で圧縮機室４３に収容してあるので、駆動熱を上記外気に対して放出することができ、特に上述したように全ての商品収容庫４ａ，４ｂ，４ｃの内部空気を冷却する場合には、圧縮機５１の駆動熱を確実に外部に放出できるため、圧縮機室４３が異常な高温になることにより圧縮機５１が停止してしまうことを回避することができる。更に、圧縮機５１はクッション材４３ａを介して圧縮機室４３に接触してあるため、圧縮機室４３の密閉性を向上させることができるとともに、クッション材４３ａが圧縮機５１が駆動することによる振動を吸収して振動音が大きくなることを抑制することができる。
【００６１】
また、上記自動販売機によれば、ダクト集合体３０に切欠部３０ａが形成してあるので、蒸発器収容体４７と加熱室４４との間における冷気吐出ダクト３３の前方側にスペースが設けられ、該スペースにガスクーラ５３を配設することができ、スペース効率に優れたものとなる。
【００６２】
以上、本発明の好適な実施の形態について説明したが、本発明はこれに限定されるものではなく、種々の変更を行うことができる。上述した実施の形態では、加熱対象となる商品収容庫４ａの内部空気を、圧縮機５１の周囲を通過して該圧縮機５１から放出される熱を吸収させた後に加熱熱交換器５２を通過して加熱させていたが、本発明はこれに限定されるものではない。例えば、商品収容庫からの内部空気を分岐させて、一方は圧縮機５１の周囲を通過させ、かつ他方は加熱熱交換器５２を通過させ、圧縮機５１の周囲を通過させた内部空気と、加熱熱交換器５２を通過させた内部空気とを合流させて商品収容庫４ａの内部に供給するようにしても良く、また、内部空気を分岐させて、一方は圧縮機５１の周囲を通過させ、かつ他方は加熱熱交換器５２を通過させ、圧縮機５１の周囲を通過させた内部空気を加熱熱交換器５２に通過させることにより、加熱熱交換器５２を通過させる内部空気と合流させて商品収容庫４ａの内部に供給するようにしても良い。
【産業上の利用可能性】
【００６３】
以上のように、本発明は、自動販売機本体内に配設された商品収容庫の内部空気を冷却または加熱して、商品収容庫に収容された商品を冷却または加熱するのに有用である。
【図面の簡単な説明】
【００６４】
【図１】図１は、本発明の実施の形態における自動販売機を模式的に示したものであり、外扉と内扉とを開放した状態を示す正面図である。
【図２】図２は、図１のII−II断面図である。
【図３】図３は、図１のIII−III断面図である。
【図４】図４は、図１〜図３に示した機械室の内部に設けれたダクト集合体および冷却加熱装置を模式的に示す斜視図である。
【図５】図５は、図４に示した冷却加熱装置の構成を示す斜視図である。
【図６】図６は、図５に示した加熱部の要部を模式的示す平面図である。
【図７】図７は、図４に示した冷却加熱装置を構成する冷却加熱ユニットを概念的に示す概念図である。
【図８】図８は、図５に示した蒸発器収容体の内部を上方側から見た場合を示す説明図である。
【図９】図９は、図８に示した蒸発器収容体の内部を右方側か見た場合を示す説明図である。
【図１０】図１０は、図８に示した蒸発器収容体の内部構造を前方側から見た場合を示す説明図である。
【図１１】図１１は、蒸発器を構成するフィン部材に形成された切起部を説明するための説明図である。
【図１２】図１２は、冷気の循環を説明するための説明用斜視図である。
【図１３】図１３は、暖気の循環を説明するための説明用斜視図である。
【符号の説明】
【００６５】
１        本体キャビネット
４ａ，４ｂ，４ｃ）      商品収容庫
２１      庫内ファン
３０      ダクト集合体
３０ａ    切欠部
３１      暖気吸込ダクト
３２      冷気吸込ダクト
３３      冷気吐出ダクト
３４      暖気吐出ダクト
４０      冷却加熱装置
４１      加熱部
４２      冷却部
４３      圧縮機室
４４      加熱室
４７      蒸発器収容体
４７ａ    流入口
４７ｂ    流出口
５０      冷却加熱ユニット
５１      圧縮機
５２      加熱熱交換器
５３      ガスクーラ
５５      蒸発器
５５ａ    チューブ
５５ｂ    フィン部材
５５ｃ    切起部
Ｓ        間隙
【図１】
2008262489.tif 000003
【図２】
2008262489.tif 000004
【図３】
2008262489.tif 000005
【図４】
2008262489.tif 000006
【図５】
2008262489.tif 000007
【図６】
2008262489.tif 000008
【図７】
2008262489.tif 000009
【図８】
2008262489.tif 000010
【図９】
2008262489.tif 000011
【図１０】
2008262489.tif 000012
【図１１】
2008262489.tif 000013
【図１２】
2008262489.tif 000014
【図１３】
2008262489.tif 000015